(57)【要約】【課題】負圧の吸引力を利用し、簡単な構造で効率よく液面浮上油を吸い上げる。【解決手段】浮上油を吸い込むための吸込みフロートノズル２０の支持と案内の役割をもつ、液面変動距離に合せた長穴を有する吸い上げ案内管１を液面下限の液中にまで伸ばし、その長穴部分を、液面の上限、下限に合せた形で固定する事で、それに取り付けられた吸込みフロートノズル２０はその吸い上げ案内管１の外周に沿って、液面変動に滑らかに追従する事ができる。この時に液面と吸込みフロートノズル２０の吸込み口との間隔を適正にとってやり、吸い上げ案内管１の上部から吸引を開始すれば、吸込みフロートノズル２０は液面の状態による影響を受ける事なく、安定して浮上油を吸い込む事ができるのである。【選択図】　　図１
2004009045.tif 000002
【特許請求の範囲】
【請求項１】
エジェクター等の負圧発生装置で発生させた、負圧の吸引力を利用し、その吸い上げようとする液面が変動しても、滑らかに追従し液面の浮上油を安定して吸い上げる事のできるように、吸上げ案内管自体が、追従する吸込みフロートノズルの支持と案内の役割を兼ねる構造の浮上油吸上げノズルユニット。
【請求項２】
液面の上昇、下降の最大変動距離を基準に、浮上油を吸い上げ導くための適正な巾と長さに加工された貫通した長穴を有し、この長穴部分を液中に沈める形で固定し、液面変動に追従する吸込みフロートノズルの支持、又案内の役割も兼ねた管材を、吸上げ案内管として設けた構造を特徴とする請求項１記載の浮上油吸上げノズルユニット。
【請求項３】
前記の吸上げ案内管に加工された長穴に、合わせて液面変動に追従し浮上油を吸い上げるための適正な長さと、吸上げ案内管の外径に合わせた適正な内径の管材をその案内管の外周に沿って滑らかに摺動させるため、案内管の外径より僅かに広い隙間を持つ様両端に絞り加工を施し、この管材を吸込みノズルとした請求項１記載の浮上油吸上げノズルユニット。
【請求項４】
液面の乱れ等で発生する偏荷重を受けても、滑らかに追従させるため、荷重を受ける箇所のうち１箇所を液面とほぼ同じ高さの吸込み口に設けた構造の請求項３記載の吸込みノズルを有した浮上油吸上げノズルユニット。
【請求項５】
前記の吸込みノズルは、液面の変動に追従させるために複数個のフロートを微調整可能な部材を介して取り付ける構造の吸込みフロートノズルを有した請求項１記載の浮上油吸上げノズルユニット。
【請求項６】
前記の吸込みノズルとフロートとをつなぐ微調整可能な部材は液面と吸込みノズルの吸込み口との間隔を調整するための圧縮コイルバネと調整ナットで構成され、さらにこの部材本体は固定ボルトで吸込みノズルの任意の高さに固定出来る構造の請求項５記載の浮上油吸上げノズルユニット。
【発明の詳細な説明】
【０００１】
【発明の属する技術分野】
本発明は、機械部品の加工、洗浄、焼入等の工程で液表面に浮上した廃油、又は再利用のための油を回収する装置に使用される浮上油吸上げノズルユニットである。
【０００２】
【従来の技術】
従来の負圧の吸引力を利用した浮上油回収装置に使用される吸上げノズルでは、特開平１０−１５１４５５に公報されている技術のように液面の変動に追従して浮上油を吸い込むためのノズルと、そのノズルの支持案内のための案内棒は、別々に役割を持たせ、独立した形で取り付けられていた。そのために吸い込むためのノズルが、液面の変動に追従して動く時、複数の摺動部分が存在する事になり、滑らかな動きが出来なくなる。液面に流れがあったり、乱れた液面であれば、特に問題となる。また、支持、案内する部分が増えると構成される部品点数も多くなり、その分、重量も増す事になる。当然大きな浮力が必要となり、結果、吸い上げるためのノズル全体が大きなものとなる。
小型の加工機に於いて、その点で設置する場所に制約を受けると、最大の効果をあげる事が出来ない。また吸い込むためのノズルは、複数の管材が各々スライドして液面変動に追従するようになっており、この構造では、液面の高さによってノズル自体の重量が変化し吸い込み口と液面との間隔を一定に保つ事はできない、と同時に各々の管材がスライドする構造はその分摺動部分も増える事になる。
【０００３】
【発明が解決しようとする課題】
浮上油の回収装置の吸い込むためのノズル部分に要求される事は次の点があげられる。
【０００４】小型である事。
これは設置場所の制約を受けないためであってタンク内の油溜りの箇所のように効率よく回収出来る箇所に設置できなくては、その能力が優れていても、全体に効率の悪いものとなる。
【０００５】摺動部分が少ない事。
摺動部分が多いと、その分液面変動時の抵抗となる箇所が増えるため液面の状態によっては、滑らかな動きができない。
【０００６】ノズルの接触箇所は液面近くに持ってくる。
これは液面変動に追従する際、抵抗となる箇所が液面より離れていると、ノズル自体を斜めに傾けようとする力が発生し、滑らかな動きができなくなる。液面の乱れがあったりした場合等は特にその影響を受けるためである。
【０００７】
【課題を解決するための手段】
前記課題を解決するためには、液面の変動に追従して浮上油を吸い上げるための吸込みノズルと、その吸込みノズルの支持と案内のための、複数の案内棒との別々の役割を統一して、吸込みノズル自体にもたせる事ができれば摺動部分を減らすと同時に、小型化にもつながる事になる。
この時に摺動する吸込みノズルの接触箇所のうちの一箇所を液面近くに設ける事ができればよい訳である。
以下はそのための方法、手段を記述する。
【０００８】本発明の核である吸上げ案内管は、その長さを、液面変動の最大距離を基準にして、その二倍＋α［説１］の長さにとり、片方には液面変動最大距離と同じ長さの貫通した長穴をあける。
【０００９】［説１］＋αの長さは、吸上げ案内管を固定する際に必要な長さの事である。
【００１０】この貫通した長穴部分を液中に沈める形で長穴の上下を、液面の上限、下限に合わせる。又これを固定する場合は、液面より出ている部分の上端を固定する。
【００１１】次に液面の変動に追従し、浮上油を吸い込むためのノズルは、長さを吸上げ案内管に加工した長穴の長さより少し長い程度に決める。これは液面が下限にある時でも吸上げ案内管の長穴が隠れる状態を保つためであるから１０ｍｍ程度長ければよい。
【００１２】内径は吸込みノズル両端を絞り、その絞った部分の内径を吸い上げ案内管の外径より僅かに広い程度に仕上げる。これは吸い上げ案内管の外周に沿って滑らかに摺動させるためで、あまり広くはとらない。
【００１３】この吸込みノズルに、吸込み口と液面との間隔を調整するための調整部材とフロートを取り付ける。
【００１４】これを吸上げ案内管に差し込み、これを浮上油回収のための所定の位置に取り付ける。
【００１５】液面と吸入み口との間隔は、調整金具と吸込みノズルでおおまかに決め吸い上げの状態を見ながら調整ナットで調整し、決定する。
以上のような手段であれば課題を解決できる訳である。
【００１６】
【発明の実施の形態】
本発明を実施するための形態を図１〜図５で説明する。
図１は本発明の浮上油吸上げノズルユニットの全体組立図である。
【００１７】実施にあたっては、最初に調整フロート図４を仮組みをする。組立段階の、図３により、吸込みノズル固定ボルト７を取り付けた調整金具３に圧縮コイルバネ６を装着し、フロート８をフロート止めボルト９で固定したフロート取り付け板５を組み込む。次に調整ナット４を調整金具３にねじ込みフロート取付板５を仮に安定させる。
【００１８】この仮組みした調整フロート図４に吸込みノズル２を組み込み、吸込みノズル固定ボルト７で仮に止める。これを吸込みフロートノズル図５とする。
【００１９】この吸込みフロートノズル図５に吸上げ案内管１を挿入し、滑らかに摺動する事を確認すれば、吸上げノズルユニット図１の仮組立は完了である。
【００２０】これをタンク等に設置する場合は、吸上げ案内管１の長穴が適正な長さであるならば、液面の上限より浮上油を吸込む事ができる寸法［説２］だけ長穴の上の部分が、液面より上に出るよう位置を決める。
【００２１】［説２］　　長穴の巾の寸法程度でよい。
【００２２】この時の吸上げ案内管１を固定する位置は、液面が上限にあっても吸込みノズル２がその上限まで上昇しても問題ない位置に、案内管固定器具１０に案内管固定ボルト１１で固定する。
【００２３】吸いこむための液面と吸込み口との間隔Ａは、調整金具３に仮に止めてある吸込みノズル固定ボルト７をゆるめ、その間隔Ａを適当に定めて再び固定する。
【００２４】その後の微調整は、吸引を開始した後、浮上油を吸い込む状態を見ながら、調整ナット４で調整する。
【００２５】再調整の必要があれば［００２３］〜［００２４］の工程を繰り返す。
【００２６】尚吸上げ案内管１に加工する長穴は、吸い上げるための条件さえ満たしていれば良いわけで、長穴や長ミゾの様にその形状、又その本数を決めたものではない。
本図では貫通した長穴加工での実施例を示す。尚浮上油の状態によっては、吸込みノズル２の吸込み口に吸い込み案内のための円板を取り付ける事もある。
【００２７】
【発明の効果】この発明の効果には、次の様な項目が上げられる。
【００２８】摺動する部分は一部分であるため摺動するのに無理がない
【００２９】摺動部分の接触箇所の一端が液面にほぼ同じ高さのため液面の乱れによる影響を受けない。
【００３０】設置面積が少なくてすむため、任意な場所に設置出来る
【００３１】吸込み口と液面との間隔の調整が簡単にできる。
【００３２】液面がどの高さになっても、吸込みフロートノズル自体の重さは変わらないため、吸入み口と液面との間隔が一定に保たれ安定して吸い上げることが出来る。
【００３３】
【図面の簡単な説明】
【図１】は本発明の浮上油吸上げノズルユニットの全体組立図である。尚本図は吸い上げようとする液面が、上限にある時の状態であり、吸上げ案内管１の長穴と液面の上限、及下限との位置関係を示す。
【図２】も浮上油吸上げノズルユニットの全体組立図であるが。液面が下限にある時で、吸上げ案内管１の長穴の上の部分が吸込みノズル２によって覆われている状態を示す。
【図３】は吸込みフロートノズル２０を構成する部品の組立段階の図である
【図４】は調整フロートの組立図である、尚
【図３】の吸込みノズル２を組み込む前の段階の組立図であり、調整フロートは吸込みノズルの任意の高さに固定できる事を意とする。
【図５】は吸込みフロートノズル２０の組立図であって
【図４】の調整フロートに吸込みノズルを組み込んだ形の組立図である。
【符号の説明】
１　　吸上げ案内管
２　　吸込みノズル
３　　調整金具
４　　調整ナット
５　　フロート取付板
６　　圧縮コイルバネ
７　　吸込みノズル固定ボルト
８　　フロート
９　　フロート止めボルト
１０　吸上げ案内管固定金具
１１　吸上げ案内管固定ボルト
２０　吸込みフロートノズル
【図１】
2004009045.tif 000003
【図２】
2004009045.tif 000004
【図３】
2004009045.tif 000005
【図４】
2004009045.tif 000006
【図５】
2004009045.tif 000007